(57)【要約】本発明は液体用の注出要素を備えた容器に関し、注出要素は可撓性の材料から作られシール接続（５）によって容器に接続された注出スパウトを有する。可撓性材料、例えば、プラスチック箔、あるいはアルミニウム等のプラスチックラミネートで作られた注出スパウトは、従来の注出スパウトを有する容器よりも大いに安価となる。好適な実施形態によれば、注出要素は、一度だけ破開封可能な封止（１０）と、再シール可能な封止（７，２１）とを有する。
2004511400.tif 000002
【特許請求の範囲】
【請求項１】
注出開口部と、該注出開口部に接続される注出要素とを備える液体用の容器において、注出要素は可撓性の材料から作られシール接続によって容器に接続された注出スパウトを有していることを特徴とする容器。
【請求項２】
注出要素は、一度だけ破開封可能な封止と、再シール可能な封止との両方を有していることとする請求項１に記載の容器。
【請求項３】
再シール可能な封止は、注出スパウトの末端部に配設されていることとする請求項２に記載の容器。
【請求項４】
再シール可能な封止は、注出スパウトの内側に互いに対向して係合する形態を有していることとする請求項３に記載の容器。
【請求項５】
再シール可能な封止は、注出スパウトの内部にて互いに対向して配設され容器の内容物に対して撥液性を有する接着片を有していることとする請求項３に記載の容器。
【請求項６】
再シール可能な封止は、注出スパウトが折曲されたときに、封止機能をもたらすようになっていることとする請求項２に記載の容器。
【請求項７】
注出スパウトは、折曲方向へ延びる薄い部分を有し強化されていることとする請求項６に記載の容器。
【請求項８】
注出スパウト、若しくは容器の上層は、容器の上側に注出スパウトを折曲態で固定して保持するために、接着層を有していることとする請求項６又は請求項７に記載の容器。
【請求項９】
破開封可能な封止は、開口部に配設されたシール箔を有していることとする請求項２乃至請求項８のいずれか一項に記載の容器。
【請求項１０】
シール箔は、注出スパウトを通じて注出スパウトの外側へ延びる引張要素に固定接続され、そして引張要素とシール箔との間の接続は、シール箔と容器の外側との間の接続よりも強いこととする請求項９に記載の容器。
【請求項１１】
引張要素は、引張方向と反対側でシール箔の側部に接続されていることとする請求項１０に記載の容器。
【請求項１２】
注出スパウトは引張要素と同じ材料から作られ、そして注出スパウトと引張要素との組み合わせ体が適宜寸法の材料をＳ字状に折曲して作られていることとする請求項１０又は請求項１１に記載の容器。
【請求項１３】
引張要素は、弱化されたブリッジ部によって注出スパウトに接続され、そして重なり合う注出スパウトの要素同士が互いにシールによって接続されていることとする請求項１２に記載の容器。
【請求項１４】
シール箔は、引張要素と一体に形成されていることとする請求項９乃至請求項１３のいずれか一項に記載の容器。
【請求項１５】
引張要素は、注出スパウトの一部で形成されていることとする請求項１３に記載の容器。
【請求項１６】
注出スパウトは、該注出スパウトの内部に延びる部分がシール箔に接続され、そして注出スパウトの外側に延びる部分が注出スパウトの一体性を保ちつつシール箔を緩めるよう引張るために摘まれるような折曲部を有していることとする請求項１５に記載の容器。
【請求項１７】
再シール可能な要素は、剛性材料で作られたスライド可能な封止材として形成されていることとする請求項１乃至請求項１６のいずれか一項に記載の容器。
【発明の詳細な説明】
【０００１】
本発明は、注出開口部と、該注出開口部に接続している注出要素とを有する液体用の容器に関するものである。
【０００２】
このような容器は、牛乳、フルーツジュースなどのためのブロックパックとして知られている。
【０００３】
今日では、これらの容器は、通常、注出可能とするように、この容器の成形折畳み位置に切取り指示を注記している。
【０００４】
本発明は、上述のブロックパックだけでなく、同様の材料から作られ傾斜上面を上部に有する容器にも適用できる。
【０００５】
本発明は、さらに、マヨネーズのための小さな容器として使われるような小袋体に適用できるのみならず、補充用容器として液体洗剤の収容のため、あるいはアイスキャンディを作るために冷凍庫の中に置かれるレモネードのための容器のような大きい形態のものにも適用可能である。本発明は、さらに、牛乳あるいは、例えば、モータオイルを収容するプラスチックボトルに利用でき、かかるボトルは英国で知られている。
【０００６】
これらすべての容器は、取扱いそして開封が難しく、完全には衛生的でなく、開封ができなくなってしまう開口部を有し、あるいは結果的にこぼれてしまう開口部を有している。
【０００７】
ブロックパックの開口部は、はさみやナイフの使用を必要とし、これに対し、引裂けシールを使用すると通常こぼれを防げない。このような封止は、再シールができない。
【０００８】
このような容器は、プラスチックの差込が設けられていることで知られている。このプラスチックの差込は、注出開口部を閉じることが可能なフラップを有している。これは、容器の再シールを可能にする。このようなプラスチックの差込は、製造及び取付の両点で高価となる。
【０００９】
これに加え、包装が未開封であることを購買者に明示する別の手段が必要である。注出開口部を覆ってシールタブを配設することが知られており、一方では、指で容器内へ押し込まれることとなるプレートを配設することも可能である。しかし、これは、容器内へ指を挿入する必要があるので、極めて非衛生的である。
【００１０】
本発明の目的は、上述の問題を解決する容器を提供することである。
【００１１】
この目的は、引張要素が、シール接続によって容器に接続された可撓性材料から作られた注出スパウトを備えることによって達成される。
【００１２】
可撓性材料、例えばプラスチック箔あるいは例えばアルミニウムによるプラスチックラミネート箔で作られた注出スパウトは、従来の注出スパウトを有する容器よりも大いに安価となる。さらに、この材料は、シールシームによって容器のこの材料の取付の選択度をさらに加える。このような注出スパウトは、例えば引裂若しくは切取シールシームによって封止することが可能である。これは、開封のために鋏みやナイフの使用をもちろん必要とするが、開封中のこぼれは簡単に防止される。
【００１３】
好適な実施形態によれば、注出要素は一度だけ破開封可能な封止と、再シール可能な封止との両方が得られる。
【００１４】
再シール可能な開口部を容易に得られるように、再シール可能な封止が注出スパウトの末端部に配設されているとよい。
【００１５】
このような封止は、例えば、再シール可能な封止が注出スパウトの内側にて互いに対向して位置して係合する形態を有するようにして形成することができる。
【００１６】
このような封止は、例えばプラスチック袋のための封止としても利用できる。他の実施形態としては、注出スパウトの内側にて、互いに対向して配設され容器の内容物に対して撥液性を示す接着片によって、一度だけ破開封が可能な封止が形成できることが判る。
【００１７】
さらに、封止は、通常はスパウトを閉状態に保ちそして長手方向に作用する力によって開封される二つの強いあるいは剛性片を用いることによって形成できる。有益な利用法は、オーバーザセンタ機構でも作られる。
【００１８】
他の実施形態でも、再シール可能な封止が注出スパウトの折り畳み時に効果的に採用されることがわかる。ここでは、折曲部が封止をなす。この封止は、他の封止と組み合わせて付加的な封止として採用できる。
【００１９】
折曲部は簡単に形成でき、そして封止は注出スパウトが折曲方向に延びる薄い部分を有し強化されているときに利用できる。
【００２０】
注出スパウト若しくは容器の上層が、折曲状態で注出スパウトを容器の上側に保持するための接着層を有することが好ましい。
【００２１】
その結果、注出スパウトのための場所が小さくてすむと共に、シール状態の維持が高められる。
【００２２】
容器の壁面に対して注出スパウトの両縁を圧する封止も利用可能である。ここでは、強度の高い状態が得られる。
【００２３】
ブロックパックの多くの場合、破開封可能な封止が開口部の内側にシール箔を有していることが通常となっている。本発明では、これは、注出スパウトがシール箔に近づきづらくなるため問題となってしまう。
【００２４】
それゆえ好ましい実施形態では、注出スパウトを通じて注出スパウトの外側位置へ延びる引張要素にシール箔が取付けられ、そして引張要素とシール箔との間の接続がシール箔と容器の内側との間の接続よりも強くなっている。
【００２５】
これによって、シール箔を外側から取り除くことができるようになる。
【００２６】
特に好ましい実施形態によれば、引張要素は、引き抜き方向とは反対側でシール箔の側部に接続される。
【００２７】
引張要素が引っ張られる際には、シール箔は解かれるようにして展開されるので、小さな力だけでよい。
【００２８】
製造の観点では、注出スパウトが引張要素と同じ材料で作られるときに、そして注出スパウトと引張要素との組み合わせが適宜大きさの材料をＳ字状に折曲することによって、特に低コストな実施形態が得られる。
【００２９】
注出スパウト内に引く抜き要素を配置する問題は、これによって回避される。
【００３０】
引張要素が弱化されたブリッジ部によって注出スパウトに接続されているとさらに製造が簡単となり、重なっている注出スパウトの要素同士はシールによって互いに接続されている。この方法は、注出スパウトを引張要素と予め一体に製造し、次にそれを容器内に配置することを可能とする。注出スパウトとの接続だけが破開封される。
【００３１】
シール箔が引張要素と一体に形成される方法は、製造を極めて簡単なものとし、シール箔、注出スパウトそして引張要素は一つの操作で容器内に配置できる。
【００３２】
更なる簡単化は、注出スパウトの内部に延びる部分がシール箔に接続されている折曲部を注出スパウトが有しているときに可能となり、そして注出スパウトの外側へ延びる折曲部は、注出スパウトの一体化を維持しつつシール箔を緩めるように引っ張るために摘まれる。
【００３３】
別途の引張要素は最早必要ない。
【００３４】
＜発明の実施の形態＞
以下、本発明について添付図面を参照して説明する。
【００３５】
図１，２そして図３は、厚紙ラミネートで作られ、そしてジュース、牛乳そしてその他の飲料の包装として広く知られているいわゆるブロックパックを示している。該ブロックパックは厚紙ラミネートから作られている。開口部３は、設けられた注出スパウトの位置で厚紙ラミネートに形成されている。その開口部は、全体として符号４で示された注出スパウトによってシールされている。注出スパウト４は可撓性の材料、例えば適宜含浸紙あるいは紙、プラスチック、金属箔などのラミネートを用いることができるが、この目的のためには、他の可撓性材料を用いることも可能である。注出スパウト４は、シール接着層５によって厚紙ラミネートに取付けられている。図１において、容器は、その閉状態で示されている。ここでは、注出スパウト４は、図２に示されるように、全体が平らに折り畳まれている。この注出スパウトを確実にこの状態に保持するために、注出スパウト４は末端部に接着層６が施されている。この接着層６は、注出スパウトの末端部が厚紙ラミネート２の上面上に留まることを確実にする。しかし、接着層６は、注出スパウトがより簡単に引き出せるようになっている。引出し可能な封止を得るためには、注出スパウトはその末端部での内側に歯状部７を有している。この歯状部は、注出スパウト、そしてこれにより容器が確実に閉状態に保たれる。このような歯状部はそれ自体は、例えばプラスチック袋の分野で知られている。他のシール方法で、例えば内側接着層を有するものとして得ることができる。この接着層は、もちろん、内容物の流出が接着層の質を悪化させる影響を与えないように選択されるべきである。
【００３６】
しかし、接着層６は、図３に示されるように、容器１の上側に配置することもできる。図３は、注出スパウト４が開封されたときに、例えばグラス８内へ注出するのに適していることを示している。他の封止を行うことができるのは明らかであり、例えば、材料の適宜選択によって折曲部９の位置でこのシールを行なうことが可能である。ここでは、その材料は、折曲部の近傍でわずかに厚くそして折曲部の位置でわずかに薄くなるように選択されていて、したがって、折曲部は正確に定められた位置に形成される。
【００３７】
前述の実施形態では、再シール可能な封止が提供され、この場合では、再シール可能な封止は、消費者による最初の開封の前にあっては、永久性のある封止として機能する。
【００３８】
図４は、容器が消費者によって最初の開口のみ可能な封止を適用した実施形態を示している。ここでは、シール箔は厚紙ラミネート２の開口部３の下側に配設されている。この箔は、それ自身で事実上厚紙ラミネートの一部をなし、あるいは特に厚紙ラミネートの内側若しくは外側に配される目的で特別に設けられる箔とすることができる。このシール箔の上面には、注出スパウト４の内部から注出スパウト４の外側位置に延びる可撓性の引張要素１１が配設されている。また、ここでは、注出スパウト４は適当な取付手段によって厚紙ラミネート２の外側に取付けられている。消費者は、このような注出スパウトを備える容器を開けたいときには、引張要素１１の突出端を引っ張るだけでよい。引張要素が引っ張られると、シール箔１０は開放されそして引張要素とともに外部へ引き出される。勿論、この目的のためには、シール箔１０と引張要素１１との間の接着は、シール箔１０と厚紙ラミネート２との間の接着よりも強いことが重要である。本発明では、図４にて右に示されるシール箔１０の側部に引張要素１１が接続されている場合に利用されている。引張りはこれによって容易となり、シール箔は剥離のごとく行なわれる。
【００３９】
注出スパウト４と引張要素１１とのこのような組合せ体を製造するためには、図５Ａに示される半加工品が利用できる。その半加工品は、引張要素１１と、材料のブリッジ部１５によって引張要素１１にそれぞれ接続された容器４の二つの部分１３，１４とで形成されている。この半加工品がＳ字状に折り畳まれるとき、図５Ｂに示されるような断面の構造になる。矢印１６の位置でシール処理を施すことによって、この構造は、ブロックパック２の上部に一体に形成されるようになる。このような構造は、図５の形態で示される。前述の実施形態のように、本実施形態では、シール箔を破った後にも未だ破開封可能な封止が残存するように、注出スパウトは歯状部又は及び接着層を備えている。
【００４０】
図６は、引張要素が注出スパウトに一体化された他の実施形態を示している。この目的のため、二重の折曲部１７が注出スパウト４に形成されている。この二重の折曲げ部１７の結果、注出スパウト４の部分１８は注出スパウト４の末端と反対側の部分で突出している。この形態は、図６に示されている。注出スパウトの部分１８が引っ張られると、シール箔１０は緩むように引っ張られ、その後に、注出スパウトの末端を使って注出可能となる。
【００４１】
最後に、図７、図８Ａそして図８Ｂは、わずかに異なる形態を示しており、ここでは、硬い材料で作られそして接着層によって厚紙ラミネート２に配されたスリーブ１９を利用している。スリーブ１９は、その下側にて、容器１の開口部３に一致する開口部２０が形成されている。
【００４２】
スライド要素２１は、スリーブ１９の内側にてスライド可能となっている。スライド要素２１には、液体の注出可能な流路２２が形成されている。
【００４３】
スライド要素は、図８Ａに示されるような閉位置と、図８Ｂに示されるような開位置との間で変位可能となっている。閉位置では、流路２２の両端がスリーブ１９によって閉ざされ、開位置では、流路の下端が開口部３に接続され、そして他端が外部に連通する。流路の他の形態はもちろん選択可能である。また、シール箔１０がスライド要素の一端に接続されていると好ましく、スライド要素が開くときにシール箔が自動的に破られる。
【００４４】
注出スパウトは図面に示されていないが、この実施形態の封止に接続することができる。
【図面の簡単な説明】
【図１】
本発明の第一の実施形態の部分断面図を示している。
【図２】
図１に示された実施形態の閉状態における概略斜視図である。
【図３】
図１及び図２に示された実施形態の注出中における斜視図である。
【図４】
本発明の第二の実施形態の断面図である。
【図５Ａ】
本発明の第三の実施形態を製造するための半加工品の平面図である。
【図５Ｂ】
図５Ａに示された半加工品の折曲後における断面図である。
【図５Ｃ】
図５Ａ及び図５Ｂに示された実施形態の詳細を示す斜視図である。
【図６】
本発明の第四の実施形態の断面図である。
【図７】
本発明の第五の実施形態の斜視図である。
【図８Ａ】
図７に示された実施形態の閉状態における断面図である。
【図８Ｂ】
開状態における図８Ａに対応する断面図である。
【国際公開パンフレット】
2004511400.tif 000003
2004511400.tif 000004
2004511400.tif 000005
2004511400.tif 000006
2004511400.tif 000007
2004511400.tif 000008
2004511400.tif 000009
2004511400.tif 000010
2004511400.tif 000011
2004511400.tif 000012
2004511400.tif 000013
2004511400.tif 000014
2004511400.tif 000015
2004511400.tif 000016
2004511400.tif 000017
【手続補正書】
【提出日】平成14年11月18日(2002.11.18)
【手続補正１】
【補正対象書類名】明細書
【補正対象項目名】特許請求の範囲
【補正方法】変更
【補正の内容】
【特許請求の範囲】
【請求項１】
注出開口部と、該注出開口部に接続される注出要素とを備える液体用の容器であって、注出要素は可撓性の材料から作られシール接続によって容器に接続された注出スパウトを有し、該注出要素が、一度だけ破開封可能な封止と、再シール可能な封止との両方を有している容器において、破開封可能な封止は、開口部に配設されたシール箔を有していることを特徴とする容器。
【請求項２】
シール箔は、注出スパウトを通じて該注出スパウトの外側へ延びる引張要素に固定接続され、そして引張要素とシール箔との間の接続は、シール箔と容器の内側との間の接続よりも強いこととする請求項１に記載の容器。
【請求項３】
引張要素は、引張方向と反対側でシール箔の側部に接続されていることとする請求項２に記載の容器。
【請求項４】
注出スパウトは引張要素と同じ材料から作られ、そして注出スパウトと引張要素との組み合わせ体が適宜寸法の材料をＳ字状に折曲して作られていることとする請求項２又は請求項３に記載の容器。
【請求項５】
引張要素は、弱化されたブリッジ部によって注出スパウトに接続され、そして重なり合う注出スパウトの要素同士が互いにシールによって接続されていることとする請求項４に記載の容器。
【請求項６】
シール箔は、引張要素と一体に形成されていることとする請求項１乃至請求項５のいずれか一項に記載の容器。
【請求項７】
引張要素は、注出スパウトの一部で形成されていることとする請求項６に記載の容器。
【請求項８】
注出スパウトは、該注出スパウトの内部に延びる部分がシール箔に接続され、そして注出スパウトの外側に延びる部分が注出スパウトの一体性を保ちつつシール箔を緩めるよう引張るために摘まれるような折曲部を有していることとする請求項７に記載の容器。
【請求項９】
再シール可能な封止は、注出スパウトの末端部に配設されていることとする請求項１乃至請求項８のいずれか一項に記載の容器。
【請求項１０】
再シール可能な封止は、注出スパウトの内側に互いに対向して係合する形態を有していることとする請求項９に記載の容器。
【請求項１１】
再シール可能な封止は、注出スパウトの内部にて互いに対向して配設され容器の内容物に対して撥液性を有する接着片を有していることとする請求項１０に記載の容器。
【請求項１２】
再シール可能な封止は、注出スパウトが折曲されたときに、封止機能をもたらすようになっていることとする請求項２に記載の容器。
【請求項１３】
注出スパウトは、折曲方向へ延びる薄い部分を有し強化されていることとする請求項５に記載の容器。
【請求項１４】
注出スパウト、若しくは容器の上層は、容器の上側に注出スパウトを折曲状態で固定して保持するために、接着層を有していることとする請求項５又は請求項６に記載の容器。
【請求項１５】
再シール可能な要素は、剛性材料で作られたスライド可能な封止材として形成されていることとする請求項１乃至請求項１４のいずれか一項に記載の容器。
【国際調査報告】
2004511400.tif 000018
2004511400.tif 000019
2004511400.tif 000020